(57)【要約】  横たわる患者を移送するトロリは、前記横たわる患者を支える移送可能な天板８を有し、天板８は、静止寝台基部により引き取られることができる。前記トロリは、前記トロリを前記静止寝台基部に向けて移動することにより天板８が前記静止寝台基部の上に配置されることができるように天板８の主要部分の下に自由空間を持つ。前記トロリは、床上を転がるローラ６をそれぞれ備えた２つの端部構造１、２と、２つの端部構造１、２を接続する中間構造３、４とを有する。中間構造３、４の主要部分は、中間構造３、４が前記静止寝台基部上に移動されることができるように天板８に近いレベルに配置される。
2009514584.tif 000002
【特許請求の範囲】
【請求項１】
横たわる患者を支える移送可能な天板を有する前記横たわる患者を移送するトロリであって、前記天板が、静止寝台基部により引き取られることができ、前記トロリは、前記トロリを前記静止寝台基部に向けて移動することにより前記天板が前記静止寝台基部上に配置されることができるように、前記天板の主要部分の下に自由空間を持ち、前記トロリは、床上で転がるローラをそれぞれ備えた２つの端部構造と、前記２つの端部構造を接続する中間構造とを有するトロリにおいて、前記中間構造の主要部分は、前記中間構造が前記静止寝台基部上に移動されることができるように前記天板に近いレベルに配置されることを特徴とするトロリ。
【請求項２】
前記床と前記中間構造の中心部分、すなわち前記２つの端部構造の中間の部分との間の距離が、前記床と前記天板との間の距離の５０％以上、好ましくは７５％以上、より好ましくは８５％以上であることを特徴とする、請求項１に記載のトロリ。
【請求項３】
前記天板が、前記トロリの前記２つの端部構造により支持されることを特徴とする、請求項１又は２に記載のトロリ。
【請求項４】
前記天板が、前記静止寝台基部の対応する部材に係合する２つの接続部材を備え、両方の接続部材が、前記天板の下側に配置されることを特徴とする、請求項１ないし３のいずれか一項に記載のトロリ。
【請求項５】
前記接続部材が、前記天板の各端部の近くに配置されることを特徴とする、請求項４に記載のトロリ。
【請求項６】
前記中間構造が、前記トロリの一方の長手側のみに存在することを特徴とする、請求項１ないし５のいずれか一項に記載のトロリ。
【請求項７】
前記中間構造が、少なくとも前記天板の一方の長手側に配置された保護フレームを備え、前記保護フレームが、下向きに移動されることができることを特徴とする、請求項１ないし６のいずれか一項に記載のトロリ。
【請求項８】
請求項１ないし７のいずれか一項に記載のトロリと、静止寝台基部とを有する患者取り扱いシステムにおいて、前記静止寝台基部が、前記天板に係合する手段を備え、前記手段が、鉛直方向に移動することができ、これにより前記天板を持ち上げることを特徴とするシステム。
【発明の詳細な説明】
【技術分野】
【０００１】
本発明は、横たわる患者を支える移送可能な天板を有する前記横たわる患者を移送するトロリ（trolley）であって、前記天板が、静止寝台基部（stationary table-base）により引き取られることができ、すなわち前記天板が、前記トロリから前記静止寝台基部に及びその逆に移送可能であり、前記トロリは、前記トロリを前記静止寝台基部に向けて移動することにより前記天板が前記静止寝台基部の上に配置されることができるように前記天板の主要部分の下に自由空間を持ち、前記トロリが、床の上を転がるローラをそれぞれ備える２つの端部構造、及び前記２つの端部構造を接続する中間構造を有するトロリに関する。
【背景技術】
【０００２】
病院において患者を取り扱うシステムは、前記患者を移送するトロリ及び前記患者の体の治療又は検査中に前記患者を支持する構造のような様々な要素を有しうる。好適な患者取り扱いシステムにおいて、前記患者は、支持板に横たわる前記患者に触れる又は移動する必要が無いように移送及び治療又は検査中に同じ支持板に横たわる。これにより、以下、天板と称される前記支持板は、前記トロリから静止寝台基部に及びその逆に移送されなければならず、前記寝台基部は、前記患者の体の検査又は治療中に所望の位置に保持及び／又は移動する。
【０００３】
上述のようにトロリ及び静止寝台基部により支えられることができる医療システムは、ＤＥ−Ａ−１９５３３０９８に開示されている。これによると、トロリは、静止寝台基部を囲む位置に移動されることができるように空き空間を持ち、前記静止寝台基部が前記空き空間内に存在する。前記静止寝台基部は、医療装置に属し、前記寝台基部の上側は、前記天板の下側に係合し、前記トロリから前記天板を持ち上げるように上方向に移動されることができる。前記天板が前記静止寝台基部に移送された後に、前記寝台基部は、前記医療装置の他の部分に対して所望の位置に前記天板を移動することができる。
【０００４】
前記トロリは、ローラを備えた２つの端部構造及び前記２つの端部構造を接続する中間構造を有する。前記トロリが、前記寝台基部上に前記天板を配置するために前記静止寝台基部に移動される場合、前記２つの端部構造は、前記静止寝台基部の向かい合った短手側（transverse sides）に配置され、前記中間構造は、前記静止寝台基部の一方の長手側（longitudinal side）のみに存在する。以後、実質的に長方形の対象の短い側は、短手側として示され、長い側は長手側として示される。平面図において見られるように、前記トロリの前記２つの端部構造及び前記中間構造は、前記中間構造がＵ字の底であり、前記２つの端部構造がＵ字の脚であるＵ字を形成する。これにより、前記トロリは、前記静止寝台基部が、前記天板の下の前記自由空間に到達するために通ることができるように一方の開いた長手側を持つ。
【０００５】
このような患者取り扱いシステムにおいて、前記トロリは、常に、開いた長手側を前にして前記静止寝台基部に近づかなくてはならない。前記静止寝台基部上の前記患者の所望の位置に依存して、すなわち前記患者の頭部をいずれか一方の方向にして、前記トロリは、一方の長手側から前記静止寝台基部に近づかなくてはならない。例えば一方の長手側における空間の欠如のため、他方の長手側のみから前記静止寝台基部を近づけることのみが可能である場合、前記寝台基部の２つの位置の一方に前記患者を配置することは選択できない。この場合、前記患者は、前記天板に横たわるときに所定の位置に配置されなければならない。
【発明の開示】
【発明が解決しようとする課題】
【０００６】
本発明の目的は、横たわる患者を移送するトロリが、前記患者を支える移送可能な天板を有し、前記天板が、前記トロリから前記静止寝台基部に移送されることができ、前記天板が、いずれの方向でも前記静止寝台基部に移送されることができ、すなわち前記患者の頭部が、オペレータの選択で、前記静止寝台基部の向かい合った短手側の近くに配置されることができる医療用患者取り扱いシステムである。
【課題を解決するための手段】
【０００７】
この目的を達成するために、前記中間構造は、前記中間構造の主要部分が前記静止寝台基部上に移動されることができるように前記天板に近いレベルに配置される。これにより、前記トロリは、どちらの長手側を前にしても前記静止寝台基部に近づくことができ、これにより前記患者の頭部が前記オペレータの選択により前記天板のいずれの短手側にも配置されることができる。
【０００８】
好適な実施例において、床と前記中間構造の中心部分、すなわち前記２つの端部構造の中間の部分との間の距離は、前記床と前記天板との間の距離の５０％以上、好ましくは７５％以上、より好ましくは８５％以上である。これにより、前記中間構造は、前記天板が医療装置において通常のように比較的大きな高さを持つとはいえ、前記静止寝台基部上に移動されることができる。好ましくは、前記天板は、前記トロリの他の部分ではなく、前記トロリの前記２つの端部構造により支持され、これにより前記天板は、前記横たわる患者を支えるのに十分に堅くなくてはならない。
【０００９】
前記天板は、前記天板の下側に存在する接続部材を介して前記静止寝台基部と接続されることができ、前記接続部材は、前記静止寝台基部の上側における対応する部材に係合する。好適な実施例において、前記天板は、前記静止寝台基部の前記対応する部材に係合する２つの接続部材を備え、両方の接続部材が、前記天板の下側に配置される。前記天板が、前記静止寝台基部と接続される場合、一方の接続部材のみが、前記静止寝台基部の前記対応する部材に係合し、他方の接続部材は、前記天板が前記寝台基部と接続され、反対方向に配置される場合に使用される。
【００１０】
好ましくは、接続部材は、前記天板が端部の一方の近くで前記静止寝台基部により係合されるように前記天板の各端部の近くに配置される。したがって、前記天板は、前記寝台基部により移動されることができ、これにより前記天板の主要部分は、前記寝台基部から離れて配置される。このような位置は、前記患者の体が例えばＭＲＩスキャンの検査空間に配置されなければならない場合に望ましいかもしれない。
【００１１】
前記天板が、前記静止寝台基部に移送された後に、前記寝台基部の上側が持ち上げられ、これにより前記トロリの前記中間構造は、前記静止寝台基部上で移動されることができない。したがって、前記トロリは、前記中間構造が前記静止寝台基部の一方の長手側のみに存在し、前記寝台基部の反対の長手側に前記トロリの一部が存在しない場合を除いて、前記静止寝台基部から離されることができない。したがって、好適な実施例において、前記天板が前記トロリ上に存在する場合に、前記中間構造は、前記トロリの一方の長手側に、すなわち前記天板の一方の長手側のみの近くに存在する。これにより、前記天板が前記寝台基部と接続される場合、前記トロリは、前記静止寝台基部から離れることができない。
【００１２】
好適な実施例において、前記天板が前記トロリ上に存在する場合に、前記中間構造は、少なくとも前記天板の一方の長手側に配置された保護フレームを備え、前記保護フレームは、下向きに移動されることができる。前記保護フレームは、前記天板上の前記横たわる患者を保護し、更に、前記オペレータは、前記トロリを移動するために手で前記保護フレームを係合することができる。
【００１３】
本発明は、更に、上述のトロリと、鉛直方向に移動することができ、これにより前記天板を持ち上げる、前記天板に係合する手段を備えた静止寝台基部とを有する患者取り扱いシステムに関する。
【００１４】
本発明は、ここで、図面を参照して、横たわる患者を支える移送可能な天板を有する前記横たわる患者を移送するトロリの２つの実施例の記載により更に説明される。
【００１５】
図は、概略的な表現のみであり、発明の説明に関連する部分のみが示される。
【発明を実施するための最良の形態】
【００１６】
図１は、トロリの向かい合った短手側の両方に２つの端部構造１、２を有する前記トロリの第１の実施例を示す。２つの端部構造１と２との間には、２つの水平バー３、４からなる中間構造があり、前記トロリの各長手側に１つの水平バー３、４がある。バー３の小部分のみが図１において見える。２つの端部構造１、２及び中間構造３、４は、前記トロリの強固な構造が得られるように堅く相互接続される。
【００１７】
各端部構造１、２は、２つのローラ６を備えた下側部分５を有する。ローラ６は、前記オペレータが前記トロリを如何なる水平方向にも移動することができるように垂直軸の周りで回転することができ、これによりローラ６は床の上を転がる。各端部構造１、２の上側部分は、中間構造３、４と接続され、天板８の端部とも接続される。２つの端部構造１、２の上側部分７と天板８との間の接続は、静止寝台基部（図面には図示されない）が天板８の下にある場合に、前記静止寝台基部が前記トロリから天板８を持ち上げることができるように、取り外し可能である。天板８は、前記トロリが同じ位置にある場合に、天板８を下げることにより前記トロリ上に戻されることができる。
【００１８】
前記中間構造の各バー３、４は、保護フレーム９を備え、保護フレーム９は、前記トロリの前側におけるバー４に対して図１に示されるように、上向きから下向きにそれぞれのバー３、４の周りで回転することができる。バー３の保護フレーム９は、上向き位置に示される。両方の保護フレーム９が上向き位置にある場合、中間構造３、４の下に自由空間が存在する。前記中間構造の床とバー３、４との間の比較的大きな距離のため、前記トロリは、静止寝台基部に向けて移動されることができ、これにより天板８は、前記寝台基部の上に持っていかれることができる。これにより、バー３、４の一方は、前記寝台基部上に移動される。
【００１９】
この位置において、前記寝台基部の上側は、上方向に移動されることができ、天板８に係合することができる。この場合、天板８は、前記寝台基部の上側を上向きに更に移動することにより、前記トロリから持ち上げられることができる。天板８が前記トロリから持ち上げられた後は、前記寝台基部の上側が上昇され、前記トロリの前記中間構造の２つのバー３、４の間に存在するので、前記トロリは、離れることができない。
【００２０】
図２−６は、トロリの第２の実施例を示し、前記トロリは、前記天板が前記寝台基部に移送された後に前記寝台基部から離されることができる。図２の第２の実施例の斜視図は、図１の第１の実施例の斜視図と同様であり、同様の部分は、同じ参照番号で示される。
【００２１】
図２に示されるように、前記トロリの前記第２の実施例は、２つの端部構造１及び２と、２つの端部構造１及び２を接続する中間構造とを有する。これにより、前記中間構造は、前記トロリの一方の長手側、図２においては前記トロリの前側におけるバー４からなる。１つのバー４のみが存在する（バー３が存在しない）ので、天板８の一方の長手側に配置された１つの保護フレーム９のみが存在する。
【００２２】
図３及び４は、前記トロリの前記第２の実施例の側面図であり、図３は、長手側を前に示し、図３は、前記トロリの短手側を前に示す。図３において、２つの接続部材１０が、天板８の下側に示され、天板８の各端部の近くに１つの接続部材１０がある。前記静止寝台基部の上側は、前記寝台基部上の天板８の位置に依存して、いずれか一方の接続部材１９に係合する１つの対応する部材を備える。
【００２３】
図５は、前記トロリの前記第２の実施例の上面図であり、図６は、前記天板が取り外された前記トロリの前記第２の実施例を斜視図で示す。
【００２４】
上述のトロリの２つの実施例は、本発明によるトロリのただの例であり、多くの他の実施例が可能である。
【図面の簡単な説明】
【００２５】
【図１】トロリの第１の実施例の斜視図である。
【図２】第２の実施例の斜視図である。
【図３】第２の実施例の側面図である。
【図４】第２の実施例の他の側面図である。
【図５】第２の実施例の上面図である。
【図６】天板無しの第２の実施例の斜視図である。
【図１】
2009514584.tif 000003
【図２】
2009514584.tif 000004
【図３】
2009514584.tif 000005
【図４】
2009514584.tif 000006
【図５】
2009514584.tif 000007
【図６】
2009514584.tif 000008
【国際調査報告】
2009514584.tif 000009
2009514584.tif 000010